(57)【要約】      （修正有）【課題】アパートやマンションその他の狭小住宅の一角にも設置する低圧室において、きわめて低コストで製作可能な低圧室の構造を提供する。【解決手段】低圧室の筐体を、平鏡板、皿形鏡板、正半楕円体形鏡板、近似半楕円体形鏡板、深皿形鏡板、欠球、特殊皿形鏡板、半球形鏡板、パイプキャップ、円錐体形鏡板、偏心コニカル、ベルマウス、揚底鏡板、帽子型又はエキスパンション等で構成することによって、低圧室を従来には見られないきわめて低コストで製作可能とした。【選択図】図３
0003122180.tif 000002
【実用新案登録請求の範囲】
【請求項１】
筐体を、平鏡板、皿形鏡板、正半楕円体形鏡板、近似半楕円体形鏡板、深皿形鏡板、欠球、特殊皿形鏡板、半球形鏡板、パイプキャップ、円錐体形鏡板、偏心コニカル、ベルマウス、揚底鏡板、帽子型又はエキスパンション等で構成し、きわめて低コストで製作可能であることを特徴とする低圧室。
【考案の詳細な説明】
【技術分野】
【０００１】近年、高地環境における人の生理的意義の研究が盛んになってきた。本考案は、高地気圧環境を平地で実現するための低圧室に関するものである。
【背景技術】
【０００２】    （特許文献１）従来、特公平２−４２９９２においては運動用気密室、特開平８−１１２３７３においては疑似高地トレーニングを想定した減圧訓練施設、特開平１１−３３６３７３においては運動選手が長期滞在できる減圧施設、特許２９１９１１１号及び特開２０００−５４６６６においては地下又は半地下に設置された運動用大規模減圧訓練施設が提案されているものの、これらは何れも運動することを前提とした大規模低圧室の構造に関するものである。
（非特許文献１）また、実開平２−１１８５７１においては疑似高地トレーニングを想定した減圧訓練施設が提案されているものの、これも運動することを前提とした大規模低圧室の構造に関するものである。
【考案の開示】
【考案が解決しようとする課題】
【０００３】本考案は、運動選手を対象とした減圧訓練施設のみならず、アパートやマンションその他の狭小住宅の一角にも設置する低圧室において、きわめて低コストで製作可能な低圧室の構造に関するものである。
【課題を解決するための手段】
【０００４】本考案は、筐体を、平鏡板、皿形鏡板、正半楕円体形鏡板、近似半楕円体形鏡板、深皿形鏡板、欠球、特殊皿形鏡板、半球形鏡板、パイプキャップ、円錐体形鏡板、偏心コニカル、ベルマウス、揚底鏡板、帽子型又はエキスパンション等で構成することによって、従来には見られないきわめて低コストで製作可能な低圧室であることを特徴とする。
【考案の効果】
【０００５】従来、アパートやマンションその他の狭小住宅の一角に低圧室を設置しようとすると、直方体形の低圧室においては六面体という平面構成による筐体構造であったが、この平面構成による筐体構造では、各平面が耐圧力を確保するため、平板の片側或いは両側にリブを縦横に配するリブ構造によらざるを得なかった。従って、リブ材料の準備、リブ部溶接作業並びにリブ部塗装作業が必要となり、直方体形の低圧室は製作コスト縮減に限界があった。【０００６】それに対して本考案では、筐体を、平鏡板、皿形鏡板、正半楕円体形鏡板、近似半楕円体形鏡板、深皿形鏡板、欠球、特殊皿形鏡板、半球形鏡板、パイプキャップ、円錐体形鏡板、偏心コニカル、ベルマウス、揚底鏡板、帽子型又はエキスパンション等で構成することによって、従来の平面構成における平板リブを皆無にすることが可能となり、リブ材料の不要化、リブ部溶接作業の不要化、リブ部塗装の不要化が可能となり、従来には見られないきわめて低コストの低圧室が製作可能となった。
【考案を実施するための最良の形態】
【０００７】低圧室の筐体は、平鏡板、皿形鏡板、正半楕円体形鏡板、近似半楕円体形鏡板、深皿形鏡板、欠球、特殊皿形鏡板、半球形鏡板、パイプキャップ、円錐体形鏡板、偏心コニカル、ベルマウス、揚底鏡板、帽子型又はエキスパンション等で構成することが可能である。
【実施例】
【０００８】図１に本考案を利用した低圧室の立面図を、図２に平面図を、図３に側面図をそれぞれ示す。実施例では、筐体を株式会社ホッカイ製で材料が一般構造用圧延鋼材ＳＳ４００の正半楕円体形鏡板で構成した。【０００９】まず、低圧室の構造について説明する。低圧室１は、筐体フランジ３が気密溶接された筐体２と、筐体フランジ５が気密溶接された筐体４とが対向するように配され、筐体フランジ３、５の一方或いは両方の外周にはパッキン６が配される。【００１０】次に、低圧室への開閉方法について説明する。低圧室１の筐体２は脚１３と緊結され、脚１３は架台１４と緊結されて床上に設置される。一方の筐体４は他方の筐体２に緊結された固定金具７及び８に緊結されるリニアガイドレール９及び１０上を直線運動可能によってなるリニアガイドベアリング１１及び１２にそれぞれ緊結される。従って、低圧室１を開閉するには、筐体４をリニアガイドレール９及び１０上で直線運動させればよい。【００１１】次に、低圧室の居住性について説明する。低圧室１には床２１が設置され、椅子２２及び２３も設置される。従って、入室者は椅子２２及び２３に座ってくつろぐことが可能である。【００１２】次に、低圧室の閉所不安感の解消について説明する。このように密閉された空間では、息苦しく閉所不安感を覚える入室者もいるが、筐体２の筐体開口部１５にはフランジ１６が気密溶接され、フランジ１６にはＯリング１７、透明アクリル板１８及びフランジ２０がボルト１９で緊結されて気密が保持される。【００１３】次に、低圧室を構成する筐体２及び４の材質について説明する。実施例では筐体２及び４の材料を、地球環境に配慮してリサイクル可能な一般構造用圧延鋼材ＳＳ４００としたが、必ずしもこれに限定されるものではない。筐体２及び４の材料は他の金属材料でもよく、プラスチックス材料でも木材でもその他の材料でもよい。又、それらの材料の組み合わせでもよい。又、透明材料でも不透明材料でもよい。【００１４】次に、低圧室の開閉方法については必ずしも直線運動に限定されるものではない。回転運動による開閉機構でもよく、直線運動と回転運動との組み合わせによる開閉機構でもよい。【００１５】特殊皿形鏡板とは、株式会社ホッカイ社内規格であるＭＤ、ＸＤ、ＵＤ記号のものを意味する。また、その他の鏡板の呼称についても、すべて株式会社ホッカイの呼称を引用した。
【産業上の利用可能性】
【００１６】従来、アパートやマンションその他の狭小住宅の一角に低圧室を設置しようとすると、直方体形の低圧室においては六面体という平面構成による筐体構造であったが、この平面構成による筐体構造では、各平面が耐圧力を確保するため、平板の片側或いは両側にリブを縦横に配するリブ構造によらざるを得なかった。従って、リブ材料の準備、リブ部溶接作業並びにリブ部塗装作業が必要となり、直方体形の低圧室は製作コスト縮減に限界があったが、本考案によって何時でも、何処でも、誰にでも、きわめて安価に低圧室を入手することが可能となり、従って高地気圧環境を体験することがきわめて容易になった。【００１７】産業上の利用可能性としては、一般家庭はもとより学校、スポーツジム、ホテル、温泉、ゴルフ場レストハウス、病院、整骨院、老人ホーム、プロスポーツ選手、低圧室サービスショップ等々、幅広い利用が期待される。
【図面の簡単な説明】
【００１８】
【図１】は、本考案を利用した低圧室の立面構造を説明する図面である。
【図２】は、本考案を利用した低圧室の平面構造を説明する図面である。
【図３】は、本考案を利用した低圧室の側面構造を説明する図面である、
【符号の説明】
【００１９】１  低圧室                              ２  筐体
３  筐体フランジ                        ４  筐体
５  筐体フランジ                        ６  パッキン
７  固定金具                            ８  固定金具
９  リニアガイドレール                  １０  リニアガイドレール
１１  リニアガイドベアリング            １２  リニアガイドベアリング
１３  脚                                １４  架台
１５  筐体開口部                        １６  フランジ
１７  Ｏリング                          １８  透明アクリル板
１９  ボルト                            ２０  フランジ
２１  床板                              ２２  椅子
２３  椅子
【図１】
0003122180.tif 000003
【図２】
0003122180.tif 000004
【図３】
0003122180.tif 000005
【手続補正書】
【提出日】平成17年12月24日(2005.12.24)
【手続補正１】
【補正対象書類名】明細書
【補正対象項目名】全文
【補正方法】変更
【補正の内容】
【考案の詳細な説明】
【技術分野】
【０００１】近年、高地環境における人の生理的意義の研究が盛んになってきた。本発明は、高地気圧環境を平地で実現するための低圧室に関するものである。
【背景技術】
【０００２】    （特許文献１）従来、特公平２−４２９９２においては運動用気密室、特開平８−１１２３７３においては疑似高地トレーニングを想定した減圧訓練施設、特開平１１−３３６３７３においては運動選手が長期滞在できる減圧施設、特許２９１９１１１号及び特開２０００−５４６６６においては地下又は半地下に設置された運動用大規模減圧訓練施設が提案されているものの、これらは何れも運動することを前提とした大規模低圧室の構造に関するものである。
（非特許文献１）また、実開平２−１１８５７１においては疑似高地トレーニングを想定した減圧訓練施設が提案されているものの、これも運動することを前提とした大規模低圧室の構造に関するものである。
【考案の開示】
【考案が解決しようとする課題】
【０００３】本考案は、運動選手を対象とした減圧訓練施設のみならず、アパートやマンションその他の狭小住宅の一角にも設置する低圧室において、きわめて低コストで製作可能な低圧室の構造に関するものである。
【課題を解決するための手段】
【０００４】本考案の低圧室は、請求項１の考案においては、鋼鉄製の圧力容器用鏡板２個の凹部を互いに対向させ、且つ、該鏡板外周部を突き合わせ、該鏡板外周部の突き合わせ部にパッキンを配して気密することを特徴とする低コスト・環境配慮型低圧室であることを特徴とする。【０００５】本考案の低圧室は、請求項２の考案においては、圧力容器用鏡板の材料が、非鉄金属材料又は非金属材料であることを特徴とする請求項１記載の低コスト・環境配慮型低圧室であることを特徴とする。【０００６】本考案の低圧室は、請求項３の考案においては、圧力容器用鏡板の軸方向に、片側又は両側の鏡板が平行移動して開閉することを特徴とする請求項１又は２記載の低コスト・環境配慮型低圧室であることを特徴とする。【０００７】本考案の低圧室は、請求項４の考案においては、鏡板の突き合わせ部の一端に蝶番を設けて、片側又は両側の鏡板が旋回開閉することを特徴とする請求項１乃至３記載の低コスト・環境配慮型低圧室であることを特徴とする。
【考案の効果】
【０００８】従来、アパートやマンションその他の狭小住宅の一角に低圧室を設置しようとすると、直方体形の低圧室においては六面体の平面構成の筐体構造によらざるを得なかったが、このような六面体の平面構成による筐体構造では、各平面が耐圧力を確保するため、平板の片側或いは両側にリブを縦横に配するリブ構造が不可欠であった。従って、六面体の平面構成の筐体構造による低圧室の製作では、リブ材料の準備、リブ部溶接作業並びにリブ部塗装作業が不可欠となり、直方体形の低圧室は製作コスト縮減には限界があった。【０００９】それに対して本考案では、筐体を、平鏡板、皿形鏡板、正半楕円体形鏡板、近似半楕円体形鏡板、深皿形鏡板、欠球、特殊皿形鏡板、半球形鏡板又はパイプキャップ等で構成することによって、従来の平面構成における平板リブを皆無にすることが可能となり、リブ材料の不要化、リブ部溶接作業の不要化、リブ部塗装の不要化が可能となり、従来の直方体形低圧室で室内有効容積が１．７３立方メートルで製作費３５０万円であったのに対し、本考案の低圧室は製作費２５０万円であった。実に３０％ものコスト縮減を実現し、従来には見られない、きわめて低コストの低圧室が製作可能となった。
【考案を実施するための最良の形態】
【００１０】低圧室の筐体は、平鏡板、皿形鏡板、正半楕円体形鏡板、近似半楕円体形鏡板、深皿形鏡板、欠球、特殊皿形鏡板、半球形鏡板又はパイプキャップ等の凹部を互いに対向させて構成することが可能である。
【実施例】
【０００８】図１に本考案を利用した低圧室の立面図を、図２に平面図を、図３に側面図をそれぞれ示す。実施例では、筐体を株式会社ホッカイ製で材料が一般構造用圧延鋼材ＳＳ４００の正半楕円体形鏡板内径１８００ｍｍで構成した。【０００９】まず、低圧室の構造について説明する。低圧室１は、筐体フランジ３が気密溶接された筐体２の凹部と、筐体フランジ５が気密溶接された筐体４の凹部とが対向するように配され、筐体フランジ３、５の一方或いは両方の外周にはパッキン６が配される。【００１０】次に、低圧室への開閉方法について説明する。低圧室１の筐体２は脚１３と緊結され、脚１３は架台１４と緊結されて床上に設置される。一方の筐体４は他方の筐体２に緊結された固定金具７及び８に緊結されるリニアガイドレール９及び１０上を直線運動可能によってなるリニアガイドベアリング１１及び１２にそれぞれ緊結される。従って、低圧室１を開閉するには、筐体４をリニアガイドレール９及び１０上で直線運動させればよい。【００１１】次に、低圧室の居住性について説明する。低圧室１には床２１が設置され、椅子２２及び２３も設置される。従って、入室者は椅子２２及び２３に座ってくつろぐことが可能である。【００１２】次に、低圧室の閉所不安感の解消について説明する。このように密閉された空間では、息苦しく閉所不安感を覚える入室者もいるが、筐体２の筐体開口部１５にはフランジ１６が気密溶接され、フランジ１６にはＯリング１７、透明アクリル板１８及びフランジ２０がボルト１９で緊結されて気密が保持される。【００１３】次に、低圧室を構成する筐体２及び４の材質について説明する。実施例では筐体２及び４の材料を、地球環境に配慮してリサイクル可能な一般構造用圧延鋼材ＳＳ４００としたが、必ずしもこれに限定されるものではない。筐体２及び４の材料は他の金属材料でもよく、プラスチックス材料でも木材でもその他の材料でもよい。又、それらの材料の組み合わせでもよい。又、透明材料でも不透明材料でもよい。【００１４】次に、低圧室の開閉方法については必ずしも直線運動に限定されるものではない。回転運動による開閉機構でもよく、直線運動と回転運動との組み合わせによる開閉機構でもよい。【００１５】特殊皿形鏡板とは、株式会社ホッカイ社内規格であるＭＤ、ＸＤ、ＵＤ記号のものを意味する。また、その他の鏡板の呼称についても、すべて株式会社ホッカイの呼称を引用した。【００１６】本考案の実施例では、室内有効容積が１．７３立方メートルで製作費２５０万円であったが、従来の直方体形低圧室では室内有効容積が同じ場合の製作費が３５０万円であったので、実に３０％ものコスト縮減を可能とした。
【産業上の利用可能性】
【００１７】従来、アパートやマンションその他の狭小住宅の一角に低圧室を設置しようとすると、直方体形の低圧室においては六面体という平面構成による筐体構造であったが、この平面構成による筐体構造では、各平面が耐圧力を確保するため、平板の片側或いは両側にリブを縦横に配するリブ構造によらざるを得なかった。従って、リブ材料の準備、リブ部溶接作業並びにリブ部塗装作業が必要となり、直方体形の低圧室は製作コスト縮減に限界があったが、本考案によって何時でも、何処でも、誰にでも、きわめて安価に低圧室を入手することが可能となり、従って高地気圧環境を体験することがきわめて容易になった。【００１８】産業上の利用可能性としては、一般家庭はもとより学校、スポーツジム、ホテル、温泉、ゴルフ場レストハウス、病院、整骨院、老人ホーム、プロスポーツ選手、低圧室サービスショップ等々、幅広い利用が期待される。
【図面の簡単な説明】
【００１９】
【図１】は、本考案を利用した低圧室の立面構造を説明する図面である。
【図２】は、本考案を利用した低圧室の平面構造を説明する図面である。
【図３】は、本考案を利用した低圧室の側面構造を説明する図面である。
【符号の説明】
【００２０】１  低圧室                              ２  筐体
３  筐体フランジ                        ４  筐体
５  筐体フランジ                        ６  パッキン
７  固定金具                            ８  固定金具
９  リニアガイドレール                  １０  リニアガイドレール
１１  リニアガイドベアリング            １２  リニアガイドベアリング
１３  脚                                １４  架台
１５  筐体開口部                        １６  フランジ
１７  Ｏリング                          １８  透明アクリル板
１９  ボルト                            ２０  フランジ
２１  床板                              ２２  椅子
２３  椅子
【手続補正書】
【提出日】平成17年12月24日(2005.12.24)
【手続補正１】
【補正対象書類名】実用新案登録請求の範囲
【補正対象項目名】全文
【補正方法】変更
【補正の内容】
【実用新案登録請求の範囲】
【請求項１】
鋼鉄製の圧力容器用鏡板２個の凹部を互いに対向させ、且つ、該鏡板外周部を突き合わせ、該鏡板外周部の突き合わせ部にパッキンを配して気密することを特徴とする低コスト・環境配慮型低圧室。
【請求項２】
圧力容器用鏡板の材料が、非鉄金属材料又は非金属材料であることを特徴とする請求項１記載の低コスト・環境配慮型低圧室。
【請求項３】
圧力容器用鏡板の軸方向に、片側又は両側の鏡板が平行移動して開閉することを特徴とする請求項１又は２記載の低コスト・環境配慮型低圧室。
【請求項４】
鏡板の突き合わせ部の一端に蝶番を設けて、片側又は両側の鏡板が旋回開閉することを特徴とする請求項１乃至３記載の低コスト・環境配慮型低圧室。
【手続補正書】
【提出日】平成18年3月28日(2006.3.28)
【手続補正１】
【補正対象書類名】実用新案登録請求の範囲
【補正対象項目名】請求項４
【補正方法】変更
【補正の内容】
【請求項４】
鏡板の突き合わせ部の一端に蝶番を設けて、片側又は両側の鏡板が旋回開閉することを特徴とする請求項１乃至２記載の低コスト・環境配慮型低圧室。